(57)【特許請求の範囲】
【請求項１】
棒状アンテナの周側に平面視コ形に突設した取付け枠と支柱の周側に突設した支持盤およびこれら取付け枠と支持盤との間に介在させる取付け金具を備え、取付け金具は、水平板とその両側に相対して立設した側板とで成り、側板には前記水平板上に載せて、該側板間に係合した前記取付け枠の側部片に接続する接続ボルトの通し孔を設け、また、前記水平板には軸ボルトを挿通させる軸孔と調節ボルトを挿通させる調節孔を設け、調節孔は前記軸孔を中心とする円周上に適宜数並べて設けると共に、前記軸孔に一致させて前記軸ボルトを挿通させる第一透孔と前記調節孔の適宜のものに一致させて前記調節ボルトを挿通させる第二透孔を、前記支持盤の上部片に前記支柱の径方向に並べて設けた、棒状アンテナの取付け装置。
【発明の詳細な説明】
【技術分野】
【０００１】
本発明は、同軸系アンテナなどの棒状アンテナを支柱に取付ける際に用いる、棒状アンテナの取付け装置に関するものである。
【背景技術】
【０００２】
携帯電話などの基地局に設けられる同軸系の棒状アンテナを支柱に取付けるには、該棒状アンテナに巻付けたバンド片の、相対する、両端のフランジ部片を、支柱に介在させて相対向させた一対の両端にそれぞれフランジ部片を備えた挟持片の一方のフランジ部片間に介在させ、互いに重なり合う各フランジ部片同士をボルトとこれに螺合するナットによって締付けるようにした構造のものがある（例えば、特許文献１）。
【先行技術文献】
【特許文献】
【０００３】
【特許文献１】特開２００８−８５９１３号公報
【発明の概要】
【発明が解決しようとする課題】
【０００４】
前記従来構造のものは、棒状アンテナ側のバンド片と支柱側の挟持片をフランジ部片においてボルトで組付ける構成を採るので、ボルトが緩み、バンド片（アンテナ）側がボルトを横軸にして回動降下し、アンテナの方向が設定当時から変化し、不都合が生じるおそれがある。
【０００５】
本発明は、設定（取付け）当時から変化することなく、しかも、棒状アンテナを簡単な構造（部品点数が少ない）で支柱に容易に取付け、確実に支持することのできる装置を提供することを目的として創案したものである。
【課題を解決するための手段】
【０００６】
棒状アンテナの周側に平面視コ形に突設した取付け枠と支柱の周側に突設した支持盤およびこれら取付け枠と支持盤との間に介在させる取付け金具を備え、取付け金具は、水平板とその両側に相対して立設した側板とで成り、側板には前記水平板上に載せて、該側板間に係合した前記取付け枠の側部片に接続する接続ボルトの通し孔を設け、また、前記水平板には軸ボルトを挿通させる軸孔と調節ボルトを挿通させる調節孔を設け、調節孔は前記軸孔を中心とする円周上に適宜数並べて設けると共に、前記軸孔に一致させて前記軸ボルトを挿通させる第一透孔と前記調節孔の適宜のものに一致させて前記調節ボルトを挿通させる第二透孔を、前記支持盤の上部片に前記支柱の径方向に並べて設けた構成とする。
【発明の効果】
【０００７】
本発明によれば、棒状アンテナ側に設けた取付け枠と、支柱側に設けた支持基盤を取付け金具を介して互いに組付けることにより、棒状アンテナを支柱に簡単に取付けることができる。しかも、支柱側の取付け枠は、取付け金具に載せられ、かつ、内側に係合して横軸となる接続ボルトで取付け金具に接続された態様となるから、接続ボルトの緩みが生じても、該ボルトを中心にした回転が防止され、従って、設置方向の変化に影響の受け易い棒状アンテナに適用するに好適な装置を提供できる。
【図面の簡単な説明】
【０００８】
【図１】平面図。
【図２】主要部材の関係を示す斜視図。
【図３】支柱と棒状アンテナの関係を示す正面図。
【図４】支持盤の斜視図。
【図５】取付け金具の斜視図。
【図６】取付け金具の正面図。
【図７】取付け金具の平面図。
【図８】取付け金具の左側面図。
【図９】図８のＡ−Ａ線断面図。
【実施例】
【０００９】
図面は、本発明に係る棒状アンテナの取付け装置の一実施例を示し、実施例は、支柱ｐに上下一対の支持盤１をブレード（バンド片）２を用いて取付け、各支持盤１，１に取付け枠３と取付け金具４を用いて棒状アンテナａを取付け、棒状アンテナａを支柱ｐに上下２個所において支持させるようにしたものである。
【００１０】
なお、図示Ｂは、支持盤１とブレード２で成る、上部側の組付け体に隣接させて配した補強組付け体で、上部側の組付け体の経時変化に伴う支柱ｐに沿う降下を防止する。
【００１１】
本発明は、支柱ｐの周側面に突設した支持盤１に、棒状アンテナａの周側面に突設した取付け枠３を、取付け金具４を介して取付け、棒状アンテナａを支柱ｐに上下２個所において支持させるようにしたもの（図示の場合は上側個所には補強組付け体Ｂを配して支持状態を補強するようにしているが）である。
【００１２】
前記支持盤１は、支柱ｐの周側に合わせた弧状の当接部片１ａの上、下両端に上、下部片１ｂ，１ｃを相対設した、断面ややコ形状の枠体で成り、底辺部側が前記当接部片１ａに連続する平面視略等辺三角形状の前記上部片１ｂに、軸ボルト５の挿通用の第一透孔６と、調節ボルト７挿通用の第二透孔８を、第一透孔６を前記三角形状の頂点部に、第二透孔８を前記底辺部の中央に位置するようにして設けて、すなわち、第一透孔６と第二透孔８を、第二透孔８を支柱ｐ側に配して前記支柱ｐの径方向に並設して構成したものである。
【００１３】
この支持盤１は、支柱ｐ周側に当てがった当接部片１ａと、該当接部片１ａと同様に支柱ｐ周側面に当てがったブレード２のそれぞれの両端に設けた緊締受部１ａ´，１ａ´、２´，２´の相隣接するもの同士に、緊締ボルト９を挿通させてわたし、一方より突出する該ボルト９の先端に緊締ナット９Ａを螺合、締付けることにより、一対のブレード２，２を用いて支柱ｐに組付けられ、その周側に突設される。
【００１４】
前記取付け枠３は、金属板を屈曲して、中央部片３ａの両側に側部片３ｂ，３ｂを相対設し、側部片３ｂの自由端に、棒状アンテナａの周側に沿う弧状の止着部片３ｃを連設して構成したもので、止着部片３ｃを棒状アンテナａの周側に重ね合わせて透孔１０を通じてねじ１１をアンテナａに設けたねじ穴１１Ａに螺合して取付け、棒状アンテナａの周側に突設したものである。
【００１５】
前記取付け金具４は、金属板を折曲して、中央の水平板４ａと、その両側に相対して立設した側板４ｂ，４ｂとで構成する。
【００１６】
この取付け金具４の前記水平板４ａには、前記軸ボルト５を挿通させる軸孔１３と、調節ボルト７を挿通させる調節孔１４，…を設け、調節孔１４，…は、前記軸孔１３を中心とする大、小の円周上に適宜数並べて２段に配して設け、前記側板４ｂには、前記取付け枠３の側部片３ｂに設けた、接続ボルト１５の通し孔１６と一致させる通し孔１７を設けたものである。
【００１７】
そして、支持盤１側の第一透孔６と取付け金具４側の軸孔１３とを一致させて、これらに軸ボルト５を挿通させ、支持盤１側の第一透孔６より突出する軸ボルト５の先端にナット５Ａとロックナット５Ｂを螺合して、支柱ｐに突設した支持盤１に取付け金具４を組付ける。そして、取付け金具４の水平板４ａ上に、棒状アンテナａの突設した取付け枠３の中央部片３ａを載せ、かつ、側板４ｂ，４ｂ間に取付け枠３を係合して、取付け枠３側の通し孔１６と取付け金具４側の通し孔１７に接続ボルト１５を挿通させ、一方の通し孔１６より突出する接続ボルト１５の先端にナット１５Ａとロックナット１５Ｂを螺合することにより、取付け枠３は取付け金具４に組付けられ、棒状アンテナａは支柱ｐに組付けられる。そして、この状態で、支持盤１を固定側として取付け金具４を軸ボルト５を中心にして回転させて、適宜の調節孔１４を第二透孔８に一致させて、棒状アンテナａの方位角を決めて、これら孔１４，８に調節ボルト７を挿通させ、調節孔１４より突出するボルト７先端に調節ナット７Ａおよびロックナット７Ｂを螺合締付けることにより、棒状アンテナａは支柱ｐに取付け、支持される。
【００１８】
なお、前記の通り、図示の棒状アンテナａは、上、下に本発明に係る装置を配して支柱ｐに支持させるようにしているが、本発明に係る装置は、図示のように棒状アンテナａ（支柱ｐ）の上、下それぞれ用いる必要はなく、上、下いずれの一方側にのみ用いても必ずしも不都合はない。
【００１９】
支持盤１、取付け枠３および取付け金具４相互の組付けや、これら各部材と支柱ｐ又は棒状アンテナａとの組付けは、自由な順序で行えば良い。
【００２０】
なお、図示２０は、取付け枠３の側部片３ｂ，３ｂ間に介在させた補強片で、接続ボルト１５と接続ナット１５Ａの締付けによる側部片３ｂの変形を防止する。
【符号の説明】
【００２１】
１      支持盤
１ｂ    上部片
３      取付け枠
３ｂ    側部片
４      取付け金具
４ａ    水平板
４ｂ    側板
５      軸ボルト
６      第一透孔
７      調節ボルト
８      第二透孔
１３    軸孔
１４    調節孔
１５    接続ボルト
１７    通し孔
ａ      棒状アンテナ
ｐ      支柱
【図１】
0005393613.tif 000002
【図２】
0005393613.tif 000003
【図３】
0005393613.tif 000004
【図４】
0005393613.tif 000005
【図５】
0005393613.tif 000006
【図６】
0005393613.tif 000007
【図７】
0005393613.tif 000008
【図８】
0005393613.tif 000009
【図９】
0005393613.tif 000010